(57)【要約】【課題】従業員等の一般人が片手で迅速に使用でき、専ら刃物や殴打する武器に対処することのできる簡易な防刃盾と防刃盾を用いた警報装置を提供する。【解決手段】片手で把持し得る大きさの盾本体１の裏面に把持部２を設け、該盾本体１の表面に刃の滑り止めシート３を貼着した防刃盾、およびこの防刃盾とこの防刃盾とは別体構成の保持部４に、前記盾本体１の一部１Ａを保持させ、該盾本体１を前記保持部４から取り外すと通電するスイッチ５を設け、該スイッチ５の通電によって警報手段６が作動して自動的に警報が発せられるようにした、防刃盾を用いた警報装置。【選択図】      図１
2004293909.tif 000002
【特許請求の範囲】
【請求項１】
片手で把持し得る大きさの盾本体１の裏面に把持部２を設け、該盾本体１の表面に、刃の滑り止めシート３を貼着してあることを特徴とする防刃盾。
【請求項２】
前記盾本体１が、パンフレット等を止めるバインダー機構８を備えている、請求項１の防刃盾。
【請求項３】
片手で把持し得る大きさの盾本体１の裏面に把持部２を設け、該盾本体１の表面に、刃の滑り止めシート３を貼着して防刃盾を構成し、該防刃盾とは別体構成の保持部４に、前記盾本体１の一部１Ａを保持させ、該盾本体１を前記保持部４から取り外すと通電するスイッチ５を設け、該スイッチ５の通電によって警報手段６が作動するように構成した防刃盾を用いた警報装置。
【請求項４】
前記警報手段６が警報ベルである、請求項３の防刃盾を用いた警報装置。
【請求項５】
前記警報手段６が警報ランプである、請求項３の防刃盾を用いた警報装置。
【請求項６】
前記警報手段６が、警備会社等への通報手段７を起動するように構成されている、請求項３乃至請求項５の防刃盾を用いた警報装置。
【発明の詳細な説明】
【０００１】
【発明の属する技術分野】
本発明は、防刃盾に関し、詳しくは、一般人が片手で使用することのできる小型の盾であって、専ら刃物や殴打する武器に対処できるところの簡易の防刃盾と防刃盾を用いた警報装置に関する。
【０００２】
【従来の技術】
一般に、盾は、矛や矢、槍等の武器による攻撃から身を守るために開発されたものであり、近代に至っても、デモ警備等で機動隊等が使用しているのを見受けられるが、こうした盾は、銃弾の貫通を阻止し、刃物、殴打武器（木刀や鉄パイプ等）に耐え、且つ、略全身を保護できる程度の大きさに構成されている。
【０００３】
ところで、最近、種々の銀行、コンビニエンスストア等に強盗が入り、金品の強奪と傷害事件が多発している。日本では銃器保持が禁止されているところから、こうした強盗事件では、一部の銃器使用事件を除き、殆どが刃物（各種のナイフ、包丁）、或いはこれに類する殴打可能な武器（ハンマー、スパナ等）を用いている。
【０００４】
こうした強盗事件の現場にあっては、興奮状態にある犯人に対して抵抗することが必ずしも好ましい対処方法であるということはできない。しかし、冷静な犯人であれば、威嚇を有効に用いて従業員を殺傷しようとすることは避けることができても、大半の犯人は興奮状態にあり、それ故に刃物等を振り回して従業員に危害を加える結果となることが多い。酷い場合には、金品強奪が不首尾であるにもかかわらず、放火を行って従業員を殺傷したりするケースが報告されている。
【０００５】
そこで、上述した強盗事件等において、警備、防備の全体的な対処策は、それぞれ専門家が最も好ましい方法を考え出せば良いのであるが、現実に傷害等の事件に結びつく直接的な原因、即ち、強盗の現場において不測に発生する犯人の異常行動を出来るだけ未然に回避させる方策が求められるが、こうした観点での対処策はこれまでに十分研究されてこなかった。
【０００６】
【発明が解決しようとする課題】
本発明者は、上述した現状に鑑み、強盗現場において発生する犯人の不測の行動に反射的に対応できて、初回の攻撃を阻止できれば、その後の攻撃を回避することが可能となり、最悪の事態を防ぐことができるのではないかとの考えに立って、その防御手段について可能性を探ってきた。
【０００７】
そして、最も簡便な方法として、冒頭に言及した盾を準備しておくことを考えたが、こうした従来の盾は、非常に大きく、取り扱い上、瞬時の判断で把持して犯人に向けて掲げることは難しいということ、また、大型、重量物であるとことから物々しい感じを客に与えて好ましくないとの観点から、これを銀行やコンビニエンスストアの店内に設置することには無理があり、また、効果的でないとの結論に達した。
【０００８】
本発明は、かかる問題に鑑み、従業員等の一般人が片手で迅速に使用できて、専ら刃物や殴打する武器に対処できるところの簡易の防刃盾と防刃盾を用いた警報装置を提供することを目的とする。
【０００９】
【課題を解決するための手段】
本発明にかかる防刃盾は、上記目的を達成するために、片手で把持し得る大きさの盾本体１の裏面に把持部２を設け、該盾本体１の表面に、刃の滑り止めシート３を貼着してある、という手段を講じたものである。
【００１０】
本発明において、前記盾本体１が、パンフレット等を止めるバインダー機構８を備えているのが好ましい。
【００１１】
本発明にかかる防刃盾を用いた警報装置は、片手で把持し得る大きさの盾本体１の裏面に把持部２を設け、該盾本体１の表面に、刃の滑り止めシート３を貼着して防刃盾を構成し、該防刃盾とは別体構成の保持部４に、前記盾本体１の一部１Ａを保持させ、該盾本体１を前記保持部４から取り外すと通電するスイッチ５を設け、該スイッチ５の通電によって警報手段６が作動する、という手段を講じたのである。
【００１２】
本発明において、前記警報手段６が警報ベルであるのが好ましい。
【００１３】
本発明において、前記警報手段６が警報ランプであるのが好ましい。
【００１４】
本発明において、前記警報手段６が、警備会社等への通報手段７を起動するように構成されているのが好ましい。
【００１５】
【発明の実施の形態】
本発明の実施の形態として、片手で把持し得る大きさの盾本体１とは、
好ましくは、Ａ−４サイズの大きさ、Ｂ−５サイズの大きさ、或いはこれに近似のＡ−５，Ｂ−６サイズであり、要するに片手で把持して操るのに適した大きさであれば、こうした規格サイズでなくとも良く、その形状も、矩形に限らず、円形でも、楕円形でも、長円形でも、多角形でも良い。
また、盾本体１の素材としては、ポリカーボネートや強化プラスチックなどの透明な素材が使用でき、これらは５ミリ程度の厚みで十分な防刃性を有し、８ミリを超えると銃弾の貫通を阻止できる。よって、これらの透明な素材を用いれば、使用（防御）に際して相手を透かし見ることが出来て（パンフレット等を表面に止めていない場合）、犯人の手の動きを目視して確実な防御を行い易い。このような強化プラスチックを用いる他に鋼板、軽合金板等を用いて作成してもよいことは勿論である。
【００１６】
また、盾本体１の裏面に把持部２は、実施例で説明する取っ手型（カバン等の握り部の形状）が好ましいが、ようするに把持出来る構造であれば、どのような形状でも良く、前記取っ手の場合にも、実施例の如く縦方向に付けたものでも、横方向に付けたものでも良い。
【００１７】
前記盾本体１の表面に貼着した刃の滑り止めシート３としては、刃物を受け止めたとき切り込みが出来る硬さで、且つ、好ましくは、切り裂きに少なからず抵抗を与えるものであれば良い。例えば、塩ビシートやポリエチレン等を用い得る。要するに、刃物の盾本体１への切りつけに際し、盾本体１が極めて小さなものであるが故に、刃物が強化プラスチックや金属板の表面を滑って防御者の身体に切りつけられる虞が予測でき、これを確実に回避するために備えたシートであるので、切りつけ時の緩衝作用と同時に、この滑り止めシート３への食い込みによって、刃の滑りが弱まり、或いは止まる素材であれば、適宜のものを選択して良い。
しかし、適度の柔らかさを備えたシートであれば、実施例の如く、バインダーとして使用するときに、ボールペン等の筆記具の使用を助ける役目を果たすことが出来る。
【００１８】
また、前記盾本体１が、パンフレット等を止めるバインダー構造に構成されている場合には、これにパンフレット、キャンペーン写真等の紙面を挟み、これを店頭のカウンターに立てかけておくことで、表面側からは案内板の如き印象を与えることができて、犯人に盾であることを気づかせずに済み、また、客に対して盾であることによる違和感を与えずに済む。
【００１９】
本発明の防刃盾を用いた警報装置においても、盾本体１に関する実施の形態は、既に上述した通りである。
ここでは、防刃盾とは別体構成に構成した保持部４を備えることになるが、この保持部４は、例えば、店頭のカウンターの上に設置できる構成としたり、壁面に設けて盾本体１をフックで吊り下げ、或いは係止する方式としたりする構成のものでもよい。
【００２０】
そして、前記盾本体１の一部１Ａを保持させ、該盾本体１を前記保持部４から取り外すと通電するスイッチ５を設けるが、こうしたスイッチ５は、通常の接触型、感圧型等の適宜のスイッチを用いてよい。また、スイッチ５の通電によって警報手段６が作動するように構成した点については、その警報手段６が警報ベルであるか、警報ランプであるかは適宜使い分け出来る。
また、前記警報手段６が、警備会社等（近辺の警察署等）への通報手段７を起動するように構成されているのも好ましく、その通報は、有線でも無線でも良い。
【００２１】
【実施例】
以下、本発明にかかる実施例について、図面に基づき詳述するが、本発明はこれらの実施例に限定されるものではない。
【００２２】
（防刃盾）
図１及び図２に示すように、片手で把持し得る大きさ、ここでは、Ａ−４サイズの盾本体１の裏面に把持部２を設け、該盾本体１の表面に、刃の滑り止めシート３を貼着してある。
この盾本体１は、透明なポリカーボネートまたは強化プラスチックの５ミリ板により構成されていて、刃物に対しての防刃機能を発揮する。しかし、盾本体１の表面は硬度を有するため、盾本体１が直接刃物を受け止めると、刃が表面を滑り、小さな盾本体１から外れて、防御者の身体を傷つけることになる。それ故に、このような刃の滑りを止めるための滑り止めシート３が楯本体１に貼着されている。
【００２３】
この実施例では、前記盾本体１が、パンフレット等を止めるバインダー機構８を、カシメ留めによって備えている。このバインダー機構８は、スプリングを利用したそれ自体公知の構成のものである。そして、前記盾本体１の裏面の把持部２は、片手が把持できる取っ手２Ａの形状を成すものであり、この取っ手２Ａは、長手方向に２つ割れに構成され、その両端部が、盾本体１への取り付け部材２Ｂに対して枢着され、把持状態では前記２つ割れが合わされて裏面に突出した状態となっているが、非使用状態では、その枢着を利用して２つ割れされ、取っ手Ａが倒伏され、嵩の低い状態となる。また、この実施例では、図３に示すように、前記取っ手２Ａの２つ割れの内面には、相互に嵌合できる凹凸２Ｃが形成されており、これによってあわせ位置が容易にズレないようにし、保持を安定させるようにしている。
【００２４】
前記取り付け部材２Ｂの盾本体１に対する止めつけは、この実施例では、ボルトによって行っている。しかし、強力な接着剤を用いて止めるようにしてもよい。
【００２５】
（防刃盾を用いた警報装置）
図１から図３に示すように、この実施例に用いる防刃盾は、片手で把持し得る大きさの盾本体１の裏面に把持部２を設け、該盾本体１の表面に、刃の滑り止めシート３を貼着して構成してある。
その具体構成は、上述した防刃盾の実施例と重複するので、詳細説明を省く。
そして、図４及び図５に示すように、この防刃盾とは別体構成の保持部４に、前記盾本体１の一部１Ａを保持持させ、該盾本体１を前記保持部４から取り外すと通電するスイッチ５を設け、該スイッチ５の通電によって警報手段６が作動するように構成している。
【００２６】
上記保持部４は、その盾本体１を立てかけておくためのもので、盾本体１をバインダー機構８を備えた構成とした場合、そこにパンフレット等を挟んでおけば、店頭のカウンター等に載置できる。
そして、この保持部４には、スイッチ５を設けておき、緊急事態に際して盾本体１を保持部４から取り外したときに、自動的に警報手段６が作動するようにしてある。
【００２７】
この実施例では、前記警報手段６として、警報ベル６Ａと、警報ランプ６Ｂとを併置してある。
更に、この実施例では、前記警報手段６が、警備会社等への通報手段７（無線通信）を起動するように構成されている。
【００２８】
【発明の効果】
本発明にかかる防刃盾によれば、銀行、コンビニエンスストア等の従業員といった一般人が、店頭の近辺に設置しておいた小型の防刃盾を片手で迅速に使用できて、専ら刃物や殴打する武器に対処できる利点がある。
本発明にかかるその他の具体的利点は、発明の実施の形態の項及び実施例の項において詳述したとおりである。
【００２９】
また、本発明にかかる防刃盾を用いた警報装置によれば、防刃盾を用いて初回の防護を果たすと同時に、この防刃盾を使用した動作に応答して自動的に警報装置が作動するので、極めて迅速な警報が期待出来る。
本発明にかかるその他の具体的利点は、発明の実施の形態の項及び実施例の項において詳述したとおりである。
【図面の簡単な説明】
【図１】本発明にかかる防刃盾の全体を示す表面側の斜視図である。
【図２】本発明にかかる防刃盾の全体を示す裏面側の斜視図である。
【図３】本発明にかかる防刃盾の要部の一使用状態を示す裏面平面である。
【図４】本発明にかかる防刃盾を用いた警報装置の全体の斜視図である。
【図５】本発明にかかる防刃盾を用いた警報装置の要部の一使用状態を示す裏面平面である。
【符号の説明】
１  盾本体
１Ａ  盾本体の一部
２  把持部
３  刃の滑り止めシート
４  保持部
５  スイッチ
６  警報手段
６Ａ  警報ベル
６Ｂ  警報ランプ
７  通報手段
８  バインダー機構
【図１】
2004293909.tif 000003
【図２】
2004293909.tif 000004
【図３】
2004293909.tif 000005
【図４】
2004293909.tif 000006
【図５】
2004293909.tif 000007